(57)【要約】【課題】着信があっても電話にでられない人に、他の人を介して用件を伝えることを可能にした携帯電話機を提供する。【解決手段】基地局を介して他の電話機と通信するための第１の通信部と、所定の距離内で直接に他の携帯電話機と通信するための第２の通信部と、接続要求信号の転送先の候補として携帯電話機の識別子が記述されたリストが格納され、第１の通信部を介して接続要求信号を受け付けた後、所定の時間内にユーザが応答しない、または、接続要求信号の送信元から転送指示があると、所定の距離内にリストに属する識別子の携帯電話機があるか第２の通信部を介して探索し、リストに属する識別子の携帯電話機があれば、携帯電話機に接続要求信号を転送することを第１の通信部を介して基地局に指示する制御部とを有する。【選択図】図２
2009010850.tif 000002
【特許請求の範囲】
【請求項１】
基地局を介して他の電話機と通信するための第１の通信部と、
所定の距離内で直接に他の携帯電話機と通信するための第２の通信部と、
通信接続を要求する旨の信号である接続要求信号の転送先の候補として携帯電話機の識別子が記述されたリストが格納され、前記第１の通信部を介して前記接続要求信号を受け付けた後、所定の時間内にユーザが応答しない、または、前記接続要求信号の送信元から転送指示があると、前記所定の距離内に前記リストに属する識別子の携帯電話機があるか前記第２の通信部を介して探索し、前記リストに属する識別子の携帯電話機があれば、該携帯電話機に前記接続要求信号を転送することを前記第１の通信部を介して前記基地局に指示する制御部と、
を有する携帯電話機。
【請求項２】
前記制御部は、
前記リストに属する識別子の携帯電話機を探索する際、自装置の識別子の情報を含む報知情報を前記第２の通信部を介して外部に送出し、該報知情報に対する応答情報を前記第２の通信部を介して受信すると、該応答情報の送信元を示す識別子が前記リストに登録されているか否かを調べ、該識別子が前記リストに登録されていれば、該識別子の携帯電話機を前記接続要求信号の転送先に指定する、請求項１記載の携帯電話機。
【請求項３】
前記制御部は、
前記接続要求信号の転送履歴の情報を前記報知情報に含み、転送履歴に含まれる識別子の携帯電話機を前記接続要求信号の転送先から除外する、請求項２記載の携帯電話機。
【請求項４】
クロック信号を生成する信号発振器が設けられ、
前記制御部に、前記クロック信号の入力をカウントして時間を計測するカウンタ回路が設けられ、
前記制御部は、
前記報知情報を送出したときから前記応答情報を受信するまでの時間を前記カウンタ回路で計測し、
前記応答情報を複数受信し、かつ、該応答情報の送信元を示す識別子が前記リストに登録されているとき、最も早く受信した応答情報の送信元の識別子で特定される携帯電話機を前記接続要求信号の転送先に指定する、請求項１から３のいずれか１項記載の携帯電話機。
【請求項５】
前記制御部は、
前記第１の通信部を介して前記接続要求信号を受け付けた後、前記所定の時間内に前記接続要求信号の送信元から該送信元の識別子およびメッセージの情報を含む伝言要求信号を受信すると、前記所定の距離内に前記リストに属する識別子の携帯電話機があるか前記第２の通信部を介して探索し、前記リストに属する識別子の携帯電話機があれば、該携帯電話機に前記第２の通信部を介して前記伝言要求信号を転送し、また、該伝言要求信号を前記第２の通信部を介して受信すると、該伝言要求信号に含まれる識別子が前記リストに登録されているか否かを調べ、該識別子が前記リストに登録されていれば、前記伝言要求信号に含まれるメッセージを表示部に表示させる、請求項１から４のいずれか１項記載の携帯電話機。
【請求項６】
基地局を介して他の電話機と通信するための第１の通信部と、
所定の距離内で直接に他の携帯電話機と通信するための第２の通信部と、
グループのメンバの携帯電話機の識別子が記述されたリストが格納され、通信接続を要求する旨の信号である接続要求信号を前記第１の通信部を介して受け付けた後、所定の時間内にユーザが応答しない、または、前記接続要求信号の送信元から着信情報転送の指示があると、前記所定の距離内に前記リストに属する識別子の携帯電話機があるか前記第２の通信部を介して探索し、前記リストに属する識別子の携帯電話機があれば、該携帯電話機に前記第２の通信部を介して前記接続要求信号の送信元の識別子を含む着信情報を転送し、また、該着信情報を前記第２の通信部を介して受信すると、該着信情報に含まれる識別子が前記リストに登録されているか否かを調べ、該識別子が前記リストに登録されていれば、該識別子が示す携帯電話機から着信があった旨を表示部に表示させる、携帯電話機。
【請求項７】
基地局を介して他の電話機と通信するための第１の通信部と、所定の距離内で直接に他の携帯電話機と通信するための第２の通信部とを有する携帯電話機による着信転送方法であって、
通信接続を要求する旨の信号である接続要求信号の転送先の候補として携帯電話機の識別子が記述されたリストを格納し、
前記第１の通信部を介して前記接続要求信号を受け付けた後、所定の時間内にユーザが応答しない、または、前記接続要求信号の送信元から転送指示があると、前記所定の距離内に前記リストに属する識別子の携帯電話機があるか前記第２の通信部を介して探索し、
前記リストに属する識別子の携帯電話機があれば、該携帯電話機に前記接続要求信号を転送することを前記第１の通信部を介して前記基地局に指示する、着信転送方法。
【請求項８】
前記リストに属する識別子の携帯電話機を探索する際、自装置の識別子の情報を含む報知情報を前記第２の通信部を介して外部に送出し、
前記報知情報に対する応答情報を前記第２の通信部を介して受信すると、該応答情報の送信元を示す識別子が前記リストに登録されているか否かを調べ、
前記応答情報の送信元を示す識別子が前記リストに登録されていれば、該識別子の携帯電話機を前記接続要求信号の転送先に指定する、請求項７記載の着信転送方法。
【発明の詳細な説明】
【技術分野】
【０００１】
本発明は、携帯電話機および着信転送方法に関する。
【背景技術】
【０００２】
自宅の固定電話機にかかってきた電話を携帯電話機に転送するサービスが行われている。しかし、このサービスを利用することで携帯電話機に電話が転送されても、ユーザが電話に出られないこともある。この問題に対して、携帯電話機に着信を転送するのではなく、相手先の電話番号を電子メールで携帯電話機に通知する技術が開示されている（特許文献１参照）。これにより、ユーザは、電話をかけられる状況になったときに、電子メールの電話番号を見て、電話をかけてきた人に自分の方から電話をかけることができる。
【０００３】
なお、携帯電話機にＢｌｕｅｔｏｏｔｈ（登録商標）の機能を備えたものがある（特許文献２参照）。また、携帯電話機とハンズフリー端末の両方にＢｌｕｅｔｏｏｔｈ（登録商標）機能を備え、車の運転中での通話を可能にしている例がある。
【特許文献１】特開２００３−４６６６３号公報
【特許文献２】特開２００２−３１９８８７号公報
【発明の開示】
【発明が解決しようとする課題】
【０００４】
上述の場合、相手が携帯電話機で電話を受けられないとき、相手に自分の電話番号が通知されるが、相手がいつ電話をかけてきてくれるかわからない。急いで連絡をとりたい場合には不便である。
【０００５】
複数のメンバで複数の車に分乗してドライブに行く際、次のような問題が起こり得る。複数のメンバは出発前に車の台数に応じてグループに分かれる。走行中に、先頭から２台目以降の車に乗っているメンバが休憩したいと思い、先頭車両の運転手の携帯電話機に電話をかける。運転手が携帯電話機の呼び出しに気がつかなければ、車はそのまま走行を続けてしまうことになる。運転手が呼び出しに気がついても、先頭車両がハンズフリー端末を装備していなければ、運転手はかかってきた電話を受けることができない。そして、運転手が着信履歴から電話をかけなおすために、停車させる場所を探しているうちに、電話をかけた人が休憩しようと思っていた場所を通りすぎてしまうことがある。
【０００６】
この問題は、公道を走行中に休憩する場合に限らない。目的地までのルートを変更する場合、ルート変更点の交差点で右折または左折する旨を先頭車両の運転手に通知する前に先頭車両がその交差点を通過してしまうことが起こり得る。また、高速道路を走行中に高速道路から公道に下りる場合、高速道路の出口を先頭車両の運転手に通知する前に先頭車両がその出口で下りずに通過してしまうことが起こり得る。
【０００７】
上述の問題は、その運転手の車に同乗している他のメンバに電話をかけて用件を言い、そのメンバが運転手に用件を伝えることで解決することもある。しかし、車の台数が多いと、どの車に誰が乗っていたかわからず、予想しながら電話をかけることになる。先頭に乗車したメンバの誰かと電話がつながるまで時間がかかってしまうと、上述の問題が起きてしまうことになる。
【０００８】
本発明は上述したような従来の技術が有する問題点を解決するためになされたものであり、着信があっても電話にでられない人に、他の人を介して用件を伝えることを可能にした携帯電話機および着信転送方法を提供することを目的とする。
【課題を解決するための手段】
【０００９】
上記目的を達成するための本発明の携帯電話機は、
基地局を介して他の電話機と通信するための第１の通信部と、
所定の距離内で直接に他の携帯電話機と通信するための第２の通信部と、
通信接続を要求する旨の信号である接続要求信号の転送先の候補として携帯電話機の識別子が記述されたリストが格納され、前記第１の通信部を介して前記接続要求信号を受け付けた後、所定の時間内にユーザが応答しない、または、前記接続要求信号の送信元から転送指示があると、前記所定の距離内に前記リストに属する識別子の携帯電話機があるか前記第２の通信部を介して探索し、前記リストに属する識別子の携帯電話機があれば、該携帯電話機に前記接続要求信号を転送することを前記第１の通信部を介して前記基地局に指示する制御部と、
を有する構成である。
【発明の効果】
【００１０】
本発明によれば、電話をかけた先の相手が電話で応答できなくても、その人の近くにいる、予め登録された人を介して相手に用件を伝えることができる。
【発明を実施するための最良の形態】
【００１１】
本発明の携帯電話機は、基地局を介して通信する第１の手段と、端末同士で直接通信する第２の手段とを有し、第１の手段を介して受け取った接続要求に対して応答しないとき、第２の手段の通信範囲で、かつ、同じグループの他の端末にその接続要求を転送または通知することを特徴とする。以下に、本発明の実施例を説明する。
【実施例１】
【００１２】
本実施例の携帯電話機の構成を説明する。図１は本実施例の携帯電話機の一構成例を示すブロック図である。
【００１３】
図１に示すように、携帯電話機１０は、基地局を介して他の端末と通信する無線通信部Ａ２２と、他の端末と直接に通信する無線通信部Ｂ２２と、記憶部２３と、制御部２５とを有する。また、ユーザへのメッセージを表示する表示部２６と、ユーザが指示を入力するための操作部２７と、マイク２８と、スピーカ２９とが設けられている。
【００１４】
無線通信部Ｂ２２は端末同士で直接通信するための通信手段である。無線通信部Ｂ２２の通信規格として、例えば、Ｂｌｕｅｔｏｏｔｈ（登録商標）がある。
【００１５】
記憶部２３には、ユーザ独自の電話帳が登録されている。電話帳には、氏名および電話番号の情報を含むエントリが登録されている。電話番号が携帯電話機の識別子となる。以下では、携帯電話機の識別子を端末識別子と称する。各エントリには、通常の携帯電話機に設けられた電話帳のように、郵便番号および住所などの情報が含まれていてもよい。
【００１６】
本実施例の電話帳には、各エントリに、電話の転送先として指定するための欄が設けられている。この欄を転送指定欄と称する。転送先に指定する電話番号については、その電話番号のエントリの転送指定欄に、転送先に指定する旨の印が記述される。転送先に指定しない電話番号については、その電話番号のエントリの転送指定欄は空欄になる。
【００１７】
予め決めた複数の人のうち誰にでも電話を転送してもよい場合がある。この場合、複数の転送先を１つのグループとし、転送先に指定されたエントリの転送指定欄にはそのグループを特定するための識別子であるグループ識別子が記述される。同じグループ識別子が記述されたエントリのリストがグループメンバリストに相当する。グループメンバリストには、少なくともグループ識別子と携帯電話機の識別子の情報が含まれていればよい。以下に、具体例を説明する。
【００１８】
複数のメンバで複数台の車に分乗してドライブに行く際、車の台数に応じてグループに分かれる。各車の運転手は、運転中に電話がかかってきても電話に出られないので、同乗するメンバの携帯電話機を転送先に選ぶ。運転手のうちの一人は、出発前に携帯電話機を操作して、転送先に選んだメンバのエントリの転送指定欄にグループ識別子「Ｇ１」を設定する。
【００１９】
また、ドライブの“行き”と“帰り”で同乗するメンバが異なる場合がある。この場合、運転手の一人は、“行き”に同乗するメンバのエントリの転送指定欄にグループ識別子「Ｇ１」を設定し、“帰り”に同乗するメンバのエントリの転送指定欄にグループ識別子「Ｇ２」を設定する。なお、グループが１つしかない場合には、グループメンバリストには、グループ識別子は必要なく、同じグループのメンバの携帯電話機の識別子の情報があればよい。
【００２０】
制御部２５は、無線通信部Ａ２２を管理する通信管理部Ａ２４と、無線通信部Ｂ２２を管理する通信管理部Ｂ２４とを有する。制御部２５には、プログラムにしたがって所定の処理を実行するＣＰＵ（Central Processing Unit）（不図示）と、プログラムが格納されたメモリ（不図示）とが設けられている。ＣＰＵがプログラムを実行することで、通信管理部Ａ２４および通信管理部Ｂ２４が仮想的に構成される。
【００２１】
通信管理部Ａ２４は、通信接続を要求する旨の信号である接続要求信号を基地局から受信すると、モータ（不図示）による振動またはスピーカ２９からの呼び出し音で、電話がかかってきたことをユーザに通知する。予め決められた所定の時間内にユーザが応答しなければ、ユーザへの通知を停止する。そして、接続要求信号には発信元の端末識別子の情報が含まれているので、接続要求信号の発信元の端末識別子の情報を通信管理部Ｂ２４に渡す。
【００２２】
通信管理部Ｂ２４は、接続要求信号の発信元の端末識別子の情報を通信管理部Ａ２４から受け取ると、その端末識別子が記憶部２３に登録されたグループメンバリストにあるか否かを調べる。通信管理部Ａ２４から受け取った端末識別子がグループメンバリストに属している場合、その端末識別子が属するグループのグループ識別子および自装置の端末識別子の情報と応答を要求する旨の情報を含む報知情報を送出する。通信管理部Ａ２４から受け取った端末識別子がグループメンバリストに属していない場合、何もせずに処理を終了する。
【００２３】
また、通信管理部Ｂ２４は、報知情報の応答として、グループ識別子と端末識別子の情報を含む応答情報を受信すると、グループ識別子が応答情報に含まれる情報と一致するグループメンバリストを記憶部２３で参照する。そして、そのグループメンバリストに、応答情報に含まれる端末識別子が登録されていることを認識すると、基地局に対して、その端末識別子を接続要求信号の転送先に指定する旨を通知する。
【００２４】
一方、通信管理部Ｂ２４は、報知情報を他の端末から受信すると、グループ識別子が報知情報に含まれる情報と一致するグループメンバリストが登録されているか調べる。グループ識別子の一致するグループメンバリストがあると、報知情報に含まれる端末識別子がそのグループメンバリストに登録されているか否かを調べる。報知情報に含まれる端末識別子がそのグループメンバリストに登録されている場合、グループ識別子と自装置の端末識別子の情報を含む応答情報を報知情報の送信元に送信する。報知情報に含まれる端末識別子がそのグループメンバリストに登録されていない場合、報知情報の応答要求には答えず処理を終了する。
【００２５】
さらに、制御部２５は、マイク２８で入力される音声をデジタル信号に変換し、その信号を符号化して無線通信部を介して外部に送信する。また、無線通信部を介して受信する音声信号を復号化してスピーカ２９に出力させる。これらの通話機能は通常の携帯電話機と同様であるため、本実施例では、詳細な説明を省略する。さらに、ＤＳＰ（Digital Signal Processor）を制御部２５に設け、ＤＳＰにアナログ信号とデジタル信号の切り替えを行わせるようにしてもよい。
【００２６】
操作部２７には、オンフックボタン、オフフックボタンおよび文字入力キーなどの他に、電話をかけた際に発信先の携帯電話機に電話の転送を指示するための転送指示ボタン（不図示）が設けられている。発信元で転送指示ボタンを押せば、発信先の携帯電話機が所定の時間、呼び出しを続けるのを待つ必要がなく、発信元の意思で電話の転送を早く指示することが可能になる。なお、転送指示ボタンの代わりに、既存のボタンに対して予め決められた操作により転送の指示をできるようにしてもよい。
【００２７】
なお、携帯電話機の基地局（不図示）は、接続要求信号の転送先を示す端末識別子の情報を受信すると、接続要求信号の発信先をその端末識別子で特定される電話機に切り替える。基地局における転送方法については、一般的に知られている方法と同様であるため、その詳細な説明を省略する。
【００２８】
次に、図１に示した携帯電話機の動作を説明する。図２は、本実施例の複数の携帯電話機において、着信を受けた端末が他の端末に着信を転送する動作を説明するための図である。以下では、携帯電話機をＵＥ（User Equipment）と表記する。
【００２９】
図２は、ＵＥ１１からＵＥ１２にかかってきた電話に対してＵＥ１２のユーザが応答せず、ＵＥ１２が近くにグループメンバの端末がないか探索し、探索の結果、グループメンバの端末があれば、その端末に電話を転送する場合を示す。各ユーザが予め自分のＵＥを操作してグループ登録を行うことにより、各ＵＥの記憶部２３にはグループ識別子とグループメンバのＵＥの端末識別子の情報を含むグループメンバリストが登録されている。ＵＥ１１、ＵＥ１２、ＵＥ１５、およびＵＥ１６が同じグループに属するものとし、このグループの識別子をＧ１とする。
【００３０】
図３は本実施例の携帯電話機の動作手順を示すフローチャートである。図３では、図２に示したＵＥ１２とＵＥ１５の２台の携帯電話機の動作を示す。
【００３１】
ＵＥ１１のユーザが携帯電話機の操作部２７を操作してＵＥ１２に電話をかける。ＵＥ１２は基地局を介してＵＥ１１から接続要求信号を受信すると、電話がかかってきたことをユーザに通知するために、モータ（不図示）を振動させるか、または呼び出し音をスピーカ２９から出力する。ＵＥ１２の着信の通知に対して、ＵＥ１２のユーザが応答しないか、またはＵＥ１１からの転送指示があると、これが転送トリガとなってＵＥ１２の通信管理部Ａ２４に入力される。通信管理部Ａ２４は、転送トリガが入力されると、発信元のＵＥ１１の端末識別子の情報を通信管理部Ｂ２４に渡す（ステップ２０１）。
【００３２】
ＵＥ１２の通信管理部Ｂ２４は、ＵＥ１１の端末識別子の情報を通信管理部Ａ２４から受け取ると、記憶部２３に登録されたグループメンバリストにＵＥ１１が含まれているか否かを調べる（ステップ２０２）。そして、ＵＥ１１がグループ識別子Ｇ１のグループメンバリストに入っていることを確認すると、通信手段を切り替える旨を通信管理部Ａ２４に通知し、通信手段を無線通信部Ｂ２２に切り替える（ステップ２０３）。続いて、グループ識別子Ｇ１およびＵＥ１２の端末識別子の情報を含む報知情報を無線通信部Ｂ２２を介して外部に送出する（ステップ２０４）。
【００３３】
ＵＥ１５の通信管理部Ｂ２４は、ＵＥ１２から報知情報を受信すると、記憶部２３に登録されたグループメンバリストにＵＥ１２が含まれているか否かを調べる（ステップ２０５）。そして、ＵＥ１２がグループ識別子Ｇ１のグループメンバリストに含まれていると判断すると、グループ識別子Ｇ１およびＵＥ１５の端末識別子の情報を含む応答情報をＵＥ１２に送信する（ステップ２０６）。
【００３４】
なお、ステップ２０５で、図２に示したＵＥ１３およびＵＥ１４も、ＵＥ１２から報知情報を受信すると、記憶部２３に登録されたグループメンバリストにＵＥ１２が含まれているか否かを調べる。本実施例においては、ＵＥ１３およびＵＥ１４はＵＥ１２と別のグループメンバに属するため、ＵＥ１３およびＵＥ１４にはグループ識別子Ｇ１のメンバリストが登録されておらず、ＵＥ１３およびＵＥ１４は応答要求に答えずに処理を終了する。
【００３５】
ＵＥ１２の通信管理部Ｂ２４は、ＵＥ１５から応答情報を受信すると、通信手段の切り替えを通信管理部Ａ２４に通知し、ＵＥ１５の端末識別子の情報を渡す（ステップ２０７）。ＵＥ１２の通信管理部Ａ２４は、ＵＥ１５の端末識別子とＵＥ１５に接続要求先を変更する旨の情報を基地局に送信し、ＵＥ１１からの接続要求信号をＵＥ１５に転送させる（ステップ２０８）。
【００３６】
ステップ２０８の後、ＵＥ１５のユーザが呼び出しに応答しなければ、ＵＥ１５とＵＥ１６が図３に示した動作手順と同様な処理を行い、ＵＥ１１からの接続要求をＵＥ１６に転送する。
【００３７】
次に、上述の動作手順を簡潔にまとめて説明する。
【００３８】
無線通信ネットワークに相当する携帯電話網（図２に示すネットワークＡ）におけるＵＥ１１からＵＥ１２への接続要求は、それぞれの端末の通信管理部Ａ２４を用いて行われる。接続要求による着信を受けたＵＥ１２がＵＥ１１に応答しないと、ＵＥ１２の通信手段が通信管理部Ａ２４から通信管理部Ｂ２４に切り替わる。ＵＥ１２の通信管理部Ｂ２４は、無線通信部Ｂ２２による通信可能なエリア（ネットワークＢ）内のＵＥのうち同じグループメンバリストに属するＵＥを探索する。そして、応答してきたＵＥ１５にＵＥ１１からの接続要求を転送するために、ＵＥ１２の通信管理部Ａ２４が接続要求の転送先の情報を基地局に通知する。これにより、ＵＥ１１からの接続要求がＵＥ１５に転送される。転送先のＵＥ１５も応答しないと、上述の転送方法と同様にして、ＵＥ１５の通信可能なエリア（ネットワークＢ’）内のＵＥのうち同じグループメンバリストに属するＵＥを探索する。そして、ＵＥ１５は、応答してきたＵＥ１６にＵＥ１１からの接続要求を転送する。
【００３９】
なお、本実施例では、電話帳の各エントリに転送指定欄を設けて、各エントリの電話番号が転送先に指定されているか否かを登録する場合で説明したが、電話帳とは別にグループメンバリストを格納するようにしてもよい。また、グループメンバリストを記憶部２３に登録する場合で説明したが、制御部２５内のメモリ（不図示）に登録してもよい。
【００４０】
また、図２および図３の説明ではグループが複数ある場合として、報知情報にグループ識別子を含むとしたが、グループが１つであれば、報知情報にグループ識別子の情報がなくてもよい。
【００４１】
本発明によれば、連絡をとりたい人の携帯電話機に電話をかけても応答してくれないとき、その人と所定の距離内にいる、同じグループの他の人の携帯電話機に着信が転送される。そのため、電話で応答可能な人に、電話で応答できない人への伝言をお願いすることが可能となる。車の運転手のように運転中に電話に出られなくても、同乗する他の人の携帯電話機に着信が転送されるため、電話に応答可能な人が運転手に用件を伝えることができる。
【実施例２】
【００４２】
本実施例は、着信の転送先を探索する際に、複数の端末から応答があると、応答の最も早かった端末を転送先に指定するものである。
【００４３】
本実施例の携帯電話機の構成と動作を説明する。以下では、実施例１と同様な構成については詳細な説明を省略し、本実施例に関連する部分について詳細に説明する。
【００４４】
図４は本実施例の携帯電話機の構成例を示すブロック図である。携帯電話機１００には、クロック信号を生成するための信号発振器３２が設けられている。制御部２５には、クロック信号の入力をカウントすることで時間を計測するカウンタ回路３３が設けられている。
【００４５】
通信管理部Ｂ２４は、カウンタ回路３３を動作させて、無線通信部Ｂ２２を介して報知情報を送出したときから応答情報を受信するまでの時間を計測する。そして、複数の端末から応答情報を受信する場合、報知情報を送出してから最も早い時間に応答情報を送ってきた端末を接続要求の転送先に指定する。
【００４６】
このようにして転送先を指定するのは、応答してきた複数の携帯電話機のうち、応答の一番早かった携帯電話機が、報知情報を送出した携帯電話機の最も近くにあると考えられるからである。本実施例によれば、連絡をとりたい人の最も近くにいる人の携帯電話機に電話を転送することができる。
【実施例３】
【００４７】
本実施例は、着信を転送する際、着信の転送元に接続要求信号の送信先を指定しないようにするものである。図２を用いて説明すると、ＵＥ１５が着信の転送先を探索する際、ＵＥ１２からも応答情報を受信し、着信の転送先をＵＥ１２に指定してしまうことが考えられる。この場合、ＵＥ１５は、ＵＥ１２から着信の転送を受けたのに、ＵＥ１２に着信を転送してしまうことになる。本実施例は、このようなことを防ぐものである。
【００４８】
本実施例の携帯電話機の構成と動作を説明する。以下では、実施例１と同様な構成については詳細な説明を省略し、本実施例に関連する部分について詳細に説明する。
【００４９】
本実施例の報知情報は転送履歴を含んでいる。図２を用いて具体例を説明する。ＵＥ１５から送出される報知情報には、ＵＥ１２からＵＥ１５に接続要求信号が転送された旨の転送履歴の情報が含まれている。
【００５０】
通信管理部Ｂ２４は、報知情報を受信すると、報知情報に含まれる転送履歴を格納する。その後、自装置が接続要求信号の転送先に指定され、転送された接続要求にユーザが応答しなければ、接続要求信号の転送先を探すために、格納した転送履歴に自装置の識別子の情報を追加して履歴を更新し、更新した転送履歴を含む報知情報を送出する。他の端末から応答情報を受信すると、応答情報から端末識別子を読み出し、読み出した端末識別子が転送履歴に含まれていれば、その端末識別子の端末を接続要求信号の転送先の候補から除外する。
【００５１】
このようにして、本実施例では、既に着信の転送先として選ばれた端末を再び転送先に指定してしまうことを防げる。なお、はじめに電話をかけたときにユーザが応答しなくても、しばらく時間を置いた後にユーザが応答できることもある。この場合、報知情報に転送履歴が含まれていなくもよく、既に着信の転送先となった端末に再び転送してもよい。転送履歴による転送管理を携帯電話機にさせるか否かを発信元のユーザの操作で選択できるようにしてもよい。
【実施例４】
【００５２】
実施例１から実施例３はグループメンバの端末に着信を転送するものであるが、本実施例は、グループメンバの端末への着信の転送を行わず、発信元の端末の情報をグループメンバに通知するものである。
【００５３】
本実施例の携帯電話機の構成と動作を説明する。以下では、実施例１と同様な構成については詳細な説明を省略し、本実施例に関連する部分について詳細に説明する。
【００５４】
実施例１で説明した操作部２７の転送指示ボタンの代わりに、着信情報転送ボタン（不図示）が設けられている。他の携帯電話機に対して接続要求を行っている間に、この着信情報転送ボタンが押されると、通信管理部Ａ２４は、着信情報を他の端末に転送を指示する旨の着信情報転送信号を携帯電話機に基地局を介して送信する。
【００５５】
図３のフローチャートを参照して説明する。ＵＥ１２の通信管理部２４Ｂは、電話がかかってきても所定の時間内にユーザが応答しない、または、ＵＥ１１から着信情報転送信号を受信すると、ステップ２０４で、報知情報の代わりに、発信元のＵＥ１１の端末識別子と着信があった旨の情報とを含む着信情報を無線通信部Ｂ２２を介して送出する。
【００５６】
ＵＥ１５の通信管理部Ｂ２４は、ステップ２０４で着信情報をＵＥ１２から受信すると、着信情報に含まれるグループ識別子が付与されたグループメンバリストが登録されているか否かを調べる。該当するグループメンバリストがあると、そのリストにＵＥ１１の端末識別子があるか否かを調べる。リストにＵＥ１１の端末識別子が登録されていれば、ＵＥ１１から着信があった旨の情報を表示部２６に表示する。一方、着信情報に含まれるグループ識別子が付与されたグループメンバリストがない場合、または、リストがあってもＵＥ１１の端末識別子が登録されていない場合、通信管理部Ｂ２４は何もせずに処理を終了する。
【００５７】
ＵＥ１５のユーザは、表示部２６に表示されたＵＥ１１の着信の情報を見て、ＵＥ１１に電話をかける。ＵＥ１１とＵＥ１５との基地局を介しての通信が確立すると、ＵＥ１１のユーザが、ＵＥ１２のユーザに対するメッセージをＵＥ１５のユーザに通知する。ＵＥ１５のユーザは、電話をきった後に、ＵＥ１１のユーザからのメッセージをＵＥ１２のユーザに伝える。
【００５８】
本実施例では、連絡をとりたい人が電話に応答してくれなくても、その近くにいる、同じグループの人が電話をかけてきてくれる可能性がある。この場合、電話に応答してくれない人に対するメッセージの伝言を、電話をかけてきてくれた人に頼むことができる。
【実施例５】
【００５９】
本実施例は、電子メールの送り先の携帯電話機のユーザに対してメールの内容について早く回答が欲しいときに、そのユーザの近くにいる人にメールの開封を催促してもらうものである。
【００６０】
本実施例の携帯電話機の構成を説明する。以下では、実施例１と同様な構成については詳細な説明を省略し、本実施例に関連する部分について詳細に説明する。
【００６１】
本実施例の携帯電話機には、電子メール機能が設けられている。電子メール機能は特許文献１に開示されたものと同様であるため、ここではその詳細な説明を省略する。実施例１で説明した操作部２７の転送指示ボタンの代わりに、伝言要求ボタン（不図示）が設けられている。他の携帯電話機に対して接続要求を行っている間に、この伝言要求ボタンが押されると、通信管理部Ａ２４は、自装置の端末識別子と電子メールの開封を要求する旨のメッセージを含む伝言要求信号を、接続要求先の携帯電話機に基地局を介して送信する。
【００６２】
携帯電話機は、電話がかかってきたことをユーザに知らせる動作を行っている間に、伝言要求信号を受信すると、通信管理部Ｂ２４は、接続要求信号の送信元の携帯電話機の端末識別子が予め登録されたグループメンバリストにあるか否かを調べる。その端末識別子がグループメンバリストにあると、伝言要求信号を無線通信部Ｂ２２を介して送出する。
【００６３】
通信管理部Ｂ２４は、無線通信部Ｂ２２を介して伝言要求信号を受信すると、その信号に含まれる端末識別子が予め登録されたグループメンバリストにあるか否かを調べる。その端末識別子がグループメンバリストにある場合、端末識別子で特定されるユーザに対して電子メールの開封を催促するメッセージを表示部２６に表示する。伝言要求信号に含まれる端末識別子がグループメンバリストにない場合、通信管理部Ｂ２４は、何もせずに処理を終了する。
【００６４】
本実施例の携帯電話機の動作を、図２を参照して説明する。
【００６５】
ＵＥ１１のユーザが操作部２７を操作してＵＥ１２宛に電子メールを基地局を介して送信する。その後、ＵＥ１１のユーザがＵＥ１２に電話をかけるが、ＵＥ１２のユーザが応答しないと、操作部２７の伝言要求ボタンを押す。これにより、ＵＥ１１はＵＥ１２宛に伝言要求信号を送信する。ＵＥ１２は、伝言要求信号をＵＥ１１から受信すると、ＵＥ１１がグループメンバリストにあることを確認し、無線通信部Ｂ２２を介して伝言要求信号を外部に送出する。
【００６６】
ＵＥ１５が伝言要求信号をＵＥ１２から受信すると、ＵＥ１１がグループメンバリストにあるか否かを調べる。ＵＥ１１の端末識別子がグループメンバリストにあることを認識すると、ＵＥ１１のユーザに電子メールの開封を催促する旨のメッセージを表示部２６に表示する。ＵＥ１５のユーザは、ＵＥ１２のユーザに対して電子メールを開封するように伝える。
【００６７】
本実施例は、電話では伝えにくい内容を電子メールで相手先の携帯電話機宛に送った際、相手先にメールを早く開封して欲しい旨を電話で伝えたいが、電話に応答してくれないときに有効である。
【００６８】
なお、メール開封催促ボタンの代わりに、既存のボタンに対して予め決められた操作によりメール開封催促の指示をできるようにしてもよい。また、伝言内容は電子メールの開封を催促するものに限られない。
【００６９】
上記実施例１から実施例５のうちいずれを組み合わせてもよい。
【図面の簡単な説明】
【００７０】
【図１】実施例１の携帯電話機の一構成例を示すブロック図である。
【図２】実施例１の複数の携帯電話機において、着信を受けた端末が他の端末に着信を転送する動作を説明するための図である。
【図３】実施例１の携帯電話機の動作手順を示すフローチャートである。
【図４】実施例２の携帯電話機の構成例を示すブロック図である。
【符号の説明】
【００７１】
１０    携帯電話機
Ａ２２、Ｂ２２    通信管理部
Ａ２４、Ｂ２４    無線通信部
２３    記憶部
２５    制御部
【図１】
2009010850.tif 000003
【図２】
2009010850.tif 000004
【図３】
2009010850.tif 000005
【図４】
2009010850.tif 000006